(57)【要約】【課題】無機繊維からなる不織布又は織布を用いることにより、高温にさらされた際にも防火性能を向上させた木造住宅の防火外断熱壁構造を容易に得るための防火断熱パネルを提供する。【解決手段】合成樹脂発泡体からなる断熱材に無機繊維よりなる不織布又は織布を接着又は粘着等により積層したパネルにより防火特性の優れた本願発明の防火断熱パネルが得られる。この防火特性に優れるパネルを用いることにより、容易に防火特性の優れた壁構造とすることが可能である。【選択図】　図１
2004137691.tif 000002
【特許請求の範囲】
【請求項１】
合成樹脂発泡体からなる断熱材に無機繊維よりなる不織布又は織布が接着又は粘着により積層されてなることを特徴とする防火断熱パネル。
【請求項２】
合成樹脂発泡体からなる断熱材の片面に無機繊維よりなる不織布又は織布が透湿防水性を有するフィルム又はシートを介して接着又は粘着により積層されてなることを特徴とする防火断熱パネル。
【請求項３】
無機繊維よりなる不織布又は織布の長さ方向又は幅方向の少なくとも一方が合成樹脂発泡体からなる断熱材よりも大きいことを特徴とする請求項１又は２記載の防火断熱パネル。
【請求項４】
無機繊維よりなる不織布又は織布の長さ方向が合成樹脂発泡体からなる断熱材よりも大きく、かつ幅方向が合成樹脂発泡体からなる断熱材よりも小さいことを特徴とする請求項１又は２記載の防火断熱パネル。
【請求項５】
無機繊維がガラス繊維であり、かつ不織布又は織布の厚さが０．０５〜５ｍｍであることを特徴とする請求項１〜４記載の防火断熱パネル。
【発明の詳細な説明】
【０００１】
【発明の属する技術分野】
本発明は、木造住宅の防火断熱パネルに関し、更に詳しくは、木造住宅の外断熱壁用防火断熱パネルに関するものである。
【０００２】
【従来の技術】
従来、木造住宅の外壁には、グラスウール等の断熱材を柱間に内接する、いわゆる内断熱の構造が用いられ、壁体の構成は、グラスウールの断熱性能維持、構造部材の腐朽防止のため、ポリオレフィン不織布等からなる透湿防水シートを通気層と断熱材の間に挿入する。よって、壁体の構成は室外側から、外装材、通気層、透湿防水シート、断熱材、防湿シート、内装材となる構成が採用されている（特許文献１）。しかし近年、省エネルギーに関する関心の高まりと共に、合成樹脂発泡体からなる断熱材を柱に外接して配置する外断熱壁構造が多く用いられるようになった。この場合の壁体の断面構成は、一般的に室外側から、外装材、通気層、透湿防水シート、断熱材、構造用面材、柱間柱又はスタッド、内装材となる。さらに、外貼り断熱構造の場合、上記構造用面材に、構造用合板を使用していることが多く、室内側の内装材を省いて構造用合板の木目を室内側に表した構成を採用する場合がある。このような構成の場合、室外側から炎が来た場合、外装材が熱せられ、その室内側にある透湿防水シート、及び合成樹脂発泡体からなる断熱材に熱が伝わりやすいので、さらに防火特性の改良された壁構造とすることの検討がおこなわれている。
【０００３】
【特許文献１】特開平１１−１７２８００
【０００４】
【発明が解決しようとする課題】
本発明は、上記従来技術の問題点に着目してなされたものであり、合成樹脂発泡体からなる断熱材の片面に無機繊維よりなる不織布又は織布を接着又は粘着により積層したパネルを使用することによって、無機繊維からなる不織布又は織布がにより防火性能を向上させた木造住宅の防火外断熱壁構造を容易に得るための防火断熱パネルを提供することを目的としている。
【０００５】
【課題を解決するための手段】
本発明者らは、鋭意検討を重ねた結果、室外側が炎により熱せられた場合においても、壁体内の当初の空気層を分割あるいは維持することができるのでによって、室外側から室内側への熱伝導を抑制し、内装材裏面温度上昇を緩和することができ、しかもパネル化することにより、施工手間を低減できることを見出し本発明に至ったものである。
【０００６】
すなわち、本願発明は以下の構成を取るものである。
【０００７】
合成樹脂発泡体からなる断熱材に無機繊維よりなる不織布又は織布が接着又は粘着により積層されてなることを特徴とする防火断熱パネル。（請求項１）
合成樹脂発泡体からなる断熱材の片面に無機繊維よりなる不織布又は織布が透湿防水性を有するフィルム又はシートを介して接着又は粘着により積層されてなることを特徴とする防火断熱パネル。（請求項２）
無機繊維よりなる不織布又は織布の長さ方向又は幅方向の少なくとも一方が合成樹脂発泡体からなる断熱材よりも大きいことを特徴とする請求項１又は２記載の防火断熱パネル。（請求項３）
無機繊維よりなる不織布又は織布の長さ方向が合成樹脂発泡体からなる断熱材よりも大きく、かつ幅方向が合成樹脂発泡体からなる断熱材よりも小さいことを特徴とする請求項１又は２記載の防火断熱パネル。（請求項４）
無機繊維がガラス繊維であり、かつ不織布又は織布の厚さが０．０５〜５ｍｍであることを特徴とする請求項１〜４記載の防火断熱パネル（請求項５）。
【０００８】
本発明に係る防火断熱パネルは、合成樹脂発泡体からなる断熱材の片面に無機繊維よりなる不織布又は織布が積層されてなるものである。合成樹脂発泡体からなる断熱材の片面に無機繊維よりなる不織布又は織布を積層したことにより、容易に施工できる上、室外側が炎により熱せられても、無機繊維からなる不織布又は織布が壁体内に残存することで、壁体内の空気層が分割され、室外側から室内側への熱伝導を抑制し、室内側の温度上昇を緩和することが可能となる。
【０００９】
【発明の実施の形態】
本発明に係る木造住宅の防火断熱パネルの一実施例を図面を用いて詳細に説明する。図１は、上記防火断熱パネルの一例を示す断面図であり、無機繊維からなる不織布又は織布Ａを合成樹脂発泡体からなる断熱材４に積層したものである。積層する手段としては、接着又は粘着を用いることができる。
【００１０】
本発明に用いる無機繊維としては、ガラス繊維、鉱物繊維、金属繊維、セラミック繊維等が使用可能であるが、コストが低く、加工性の良いガラス繊維が特に好適である。また、積層される無機繊維からなる不織布又は織布Ａの厚さは、薄すぎるとシートの強度が不足するため、０．０５ｍｍ以上が、より好ましくは０．０７ｍｍ以上、特には０．１ｍｍ以上が好ましく、厚すぎると外壁の納まりに問題が出るため、５ｍｍ以下、より好ましくは４ｍｍ以下、特には３ｍｍ以下が好ましい。また、合成樹脂発泡体からなる断熱材４としては、ポリスチレンフォーム、ポリエチレンフォーム、ポリプロピレンフォーム等の熱可塑性樹脂発泡体や、塩化ビニルフォーム、ウレタンフォーム、フェノールフォーム、メラミンフォーム等の熱硬化性樹脂発泡体が使用できるが、熱可塑性樹脂発泡体を使用した場合により効果的に室内側の温度上昇を緩和する。また、熱可塑性樹脂発泡体の中でも、断熱性能の高いポリスチレンフォームが、壁体の総厚さを小さくできる為好ましい。
【００１１】
これら無機繊維からなる不織布又は織布Ａと合成樹脂発泡体からなる断熱材４とを接着又は粘着積層して防火断熱パネルＢを得るが、無機繊維からなる不織布又は織布Ａの長さ方向又は幅方向の少なくとも一方が合成樹脂発泡体からなる断熱材４よりも大きくすることで、構造体への止め付けが容易になり、無機繊維からなる不織布又は織布Ａの脱落を防止することが容易になる。さらに、図２に示す説明図のように無機繊維からなる不織布又は織布Ａの幅方向を合成樹脂発泡体からなる断熱材４よりも小さくすることで、気密テープの貼りしろをつくり、気密を取りやすくすることができる。
【００１２】
不織布又は織布Ａと合成樹脂発泡体からなる断熱材４の間に多孔性フィルム又は透湿防水シートを、透湿性を損なわないように一部、又は全面接着することで、パネルに透湿防水性を付与することも可能である。前記多孔性フィルム又は透湿防水シートは、ＪＩＳＡ６１１１に規定される透湿防水シートＡ又は透湿防水シートＢの全ての性能を満足していることが好ましい。すなわち、透湿抵抗が０．１９ｍ２・ｓ・Ｐａ／μｇ以下が好ましく、更には０．１７ｍ２・ｓ・Ｐａ／μｇ以下、特には０．１５ｍ２・ｓ・Ｐａ／μｇ以下が好ましく、０．１３ｍ２・ｓ・Ｐａ／μｇ以下が最も好ましい。
【００１３】
【実施例】
以下、本発明の態様について、実施例、比較例により具体的に説明する。
（実施例１）
図３は、本発明の防火断熱パネルを住宅の外張り断熱構造の構造体あらわし仕様の外壁部に応用した実施例の説明図である。構造用面材５として厚さ９ｍｍの構造用合板を用い、防火断熱パネルＢとして合成樹脂発泡体からなる断熱材４（厚さ５０ｍｍの押出し法ポリスチレンフォーム保温板３種）と、無機繊維からなる不織布又は織布Ａ（目付２１０ｇ／ｍ２、厚さ０．１８ｍｍのガラス繊維織布）とを、ＥＶＡ系接着剤で貼り付けたものを用い、通気胴縁８として厚さ１７ｍｍの杉材を用い、外装材１として厚さ１２ｍｍの木繊維混入セメントけい酸カルシウム板を用いた。
（実施例２）
無機繊維からなる不織布又は織布Ａを、ガラス繊維不織布（目付１８０ｇ／ｍ２、厚さ１．３０ｍｍ）にした以外は実施例１と同様にした。
（実施例３）
無機繊維からなる不織布又は織布Ａと合成樹脂発泡体からなる断熱材４との間に、ポリエチレン製の不織布からなる透湿防水シート（厚さ０．１７ｍｍ）を配置し、各々をＥＶＡ系接着剤で貼り付けた以外は実施例２と同様にした。
（比較例）
実施例１に示す無機繊維からなる不織布又は織布Ａを、ポリエチレン製の不織布からなる透湿防水シート（厚さ０．１７ｍｍ）に変更した以外は実施例１と同じ構成とした。
【００１４】
これら実施例及び比較例の防火性能を比較するために、以下の方法を用いた。図５に示す断面図のように、外壁の構成を５５０ｍｍ角で作製し、外装材１の表面側を加熱炉１３にセットし、ガスバーナー１２により、外装材１の表面から１００ｍｍの位置に設置した炉内熱電対１１によって測定される炉内温度の時間経過が、次の式１で表される数値となるように３０分間加熱し、構造用合板５の室内側に取り付けた熱電対１４で３０分加熱前後の構造用面材の室内側温度を測定し、温度上昇を比較した。
炉内温度（℃）＝３４５ｌｏｇ１０（８×経過時間（分）＋１）＋２０　−式１
実施例および比較例の３０分加熱後の構造用面材の室内側温度上昇を表１に示す。
【００１５】
【表１】
2004137691.tif 000003
表１より、実施例１〜３は、比較例と比べて、３０分加熱後の構造用面材室内側温度上昇を、略３０Ｋ低く抑えることができ、本願発明の防火断熱パネルを用いることにより、防火特性の改良された壁構造とすることが可能となることがわかる。
【００１６】
【発明の効果】
本発明に係る合成樹脂発泡体からなる断熱材の片面に無機繊維よりなる不織布又は織布が接着又は粘着により積層されてなる防火断熱パネルである。合成樹脂発泡体からなる断熱材の片面に無機繊維よりなる不織布又は織布を接着又は粘着により積層したパネルを使用することによって、特には無機繊維からなる不織布又は織布により防火性能を向上させた木造住宅の防火外断熱壁構造を容易に得ることが可能となる。
【図面の簡単な説明】
【図１】本発明の防火断熱パネル一例の断面図。
【図２】本発明の防火断熱パネル一例の説明図。
【図３】本発明の防火断熱パネルを用いた木造住宅の防火外断熱壁構造実施例の説明図。
【図４】本発明による防火断熱パネルの実施例及び比較例の性能比較の為の試験体及び試験装置を示す断面図。
【符号の説明】
Ａ　　無機繊維からなる不織布又は織布
Ｂ　　防火断熱パネル
１　　外装材
２　　通気層
３　　熱電対
４　　合成樹脂発泡体からなる断熱材
５　　構造用面材
６　　柱
７　　間柱
８　　通気胴縁
９　　土台
１０　木材
１１　炉内熱電対
１２　ガスバーナー
１３　加熱炉
【図１】
2004137691.tif 000004
【図２】
2004137691.tif 000005
【図３】
2004137691.tif 000006
【図４】
2004137691.tif 000007